(57)【要約】打撃穿孔用等のドリルチャックが、チャック躯幹体1のネジ切部に回転可能に案内されたネジ切リング6と、リング状に配列された複数の錠掛け凹部9、及び錠掛けラッチ10からなるインタロック機構と、調整リング15と、調整リング15のための周方向に２つの係止箇所18を形成する係止機構17とを備える。錠掛けラッチ10をインタロックの位置・姿勢と、錠掛け凹部９から外れ出た位置・姿勢との間でシフトさせる錠掛けリング21が備えられる。錠掛けリング21の回転は、その対抗ストッパー面19が、調整リング15の第２突き当てストッパー面20,20'の間にあることで制限される。ドリルチャックを開放する回転方向12での先頭面をなす第２突き当てストッパー面20'が、インタロックの位置・姿勢にて対抗ストッパー面19に突き当たる。また、係止機構17が錠掛けリング21とネジ切リング6との間に形成されている。【選択図】図１
2010514574.tif 000002
【特許請求の範囲】
【請求項１】
ドリリングスピンドルに接続可能なチャック躯幹体(１)と、
チャック躯幹体(１)中にて、チャック軸(４)から傾斜して延びる複数の案内スリット(２７)と、
これら案内スリット(２７)中に配置され、相互の間に、ドリリング工具のための受入れ部を形成する複数のつかみあご(３)と、
ドリルチャックの開放及び閉鎖を行うべく、つかみあご(３)の歯列が噛み合い、チャック躯幹体(１)のネジ切部に回転可能に案内されたネジ切リング(６)と、
インタロック機構と、
一対の第１突き当てストッパー面(１６)の間に制限されて、ネジ切リング(６)に対して位置・姿勢をシフト可能である、チャック軸(４)に共軸の調整リング(１５)と、
調整リング(１５)のための周方向に２つの係止箇所(１８)を形成する係止機構(１７)とからなり、
インタロック機構は、チャック軸(４)に共軸のリング状に配列された複数の錠掛け凹部(９)と、インタロックの位置・姿勢にあっては、錠掛けバネの力を受けて錠掛け凹部(９)に差し込まれる少なくとも一つの錠掛けラッチ(１０)とからなる、打撃穿孔用またはその他のドリリング用のドリルチャックにおいて、
インタロックの位置・姿勢と、錠掛けラッチ(１０)が錠掛け凹部(９)から外れ出たインタロック解除の位置・姿勢との間でのシフトを行わせるべく、対抗ストッパー面(１９)でもって調整リング(１５)の第２突き当てストッパー面(２０，２０')の間に制限されて、回転可能である錠掛けリング(２１)を備え、
ドリルチャックを開放する回転方向(１２)での先頭面をなす第２突き当てストッパー面(２０')が、インタロックの位置・姿勢にて、対抗ストッパー(１９)に突き当てられ、
係止機構(１７)が、錠掛けリング(２１)とネジ切リング(６)との間に形成されていることを特徴とするドリルチャック。
【請求項２】
錠掛けリング(２１)が調整リング(１５)に回転可能に取り付けられていることを特徴とする請求項１に記載のドリルチャック。
【請求項３】
錠掛けリング(２１)が調整リング(１５)の半径方向外側に取り付けられており、対抗ストッパー面(１９)が、錠掛けリング(２１)の内周面に設けられた錠掛けカム部(２２)に備えられることを特徴とする請求項２に記載のドリルチャック。
【請求項４】
錠掛けリング(２１)が調整リング(１５)の半径方向内側に案内されており、対抗ストッパー面(１９)をなすグリップカム部が、調整リング(１５)のリング窓部を突き抜けることを特徴とする請求項２に記載のドリルチャック。
【請求項５】
錠掛けラッチ(１０)の作動切替を行うべく、切替カム面(２５)がカム部(２２，２３)に設けられており、錠掛けリング(２１)が、ドリルチャックを閉鎖する回転方向(１３)へと調整リング(１５)に対して相対回転することにより、錠掛けラッチ(１０)の位置・姿勢が、外れ出た状態から差し込まれたへとシフトし、また、錠掛けリング(２１)と調整リング(１５)との逆向きの相対回転により、錠掛けラッチ(１０)の位置・姿勢が、外れ出た状態へとシフトすることを特徴とする請求項３または４に記載のドリルチャック。
【請求項６】
ネジ切リング(６)に対して回転不能に接続した中間スリーブ(１４)に、錠掛けラッチ(１０)が回転不能に取り付けられており、湾曲状のクランプバネ(２３)には、錠掛けラッチ(１０)が設けられ、かつ、係止機構(１７)の係止ラッチ部(２６)が備えられていることを特徴とする請求項１〜５のいずれかに記載のドリルチャック。
【請求項７】
錠掛けリング(２１)の半径方向内側の表面に、係止カム部(２４)が備えられ、この係止カム部(２４)が、係止機構(１７)の２つの係止箇所(１８)を互いに隔てることを特徴とする請求項６に記載のドリルチャック。
【請求項８】
錠掛けリング(２１)が、調整リング(１５)の軸方向先端部に配置されたことを特徴とする、請求項１〜７のいずれかに記載のドリルチャック。
【請求項９】
錠掛けリング(２１)が、チャック躯幹体(１)の軸方向根元端部に配置されたことを特徴とする請求項１〜７のいずれかに記載のドリルチャック。
【発明の詳細な説明】
【技術分野】
【０００１】
本発明は、ドリルチャックに関する。特には、機械的な打撃を伴う打撃穿孔用のドリルチャックに関する。
【背景技術】
【０００２】
このドリルチャックは、ドリリングスピンドルに接続可能なチャック躯幹体と、チャック躯幹体中にて、チャック軸から傾斜して延びる複数の案内スリットと、これら案内スリット中に配置され、相互の間に、ドリリング工具のための受入れ部を形成する複数のつかみあごと、ドリルチャックの開放及び閉鎖を行うべく、つかみあごの歯列が噛み合い、チャック躯幹体のネジ切部に回転可能に案内されたネジ切リングと、インタロック機構と、一対の第１突き当てストッパー面の間に制限されて、ネジ切リングに対して位置・姿勢をシフト可能である、チャック軸に共軸の、位置・姿勢の調整用の調整リングと、調整リングのための、周方向に２つの係止箇所を形成する係止機構とからなる。インタロック機構は、チャック軸に共軸のリング状に配列された複数の錠掛け凹部と、インタロックの位置・姿勢にて、錠掛けバネの力を受けて錠掛け凹部に差し込まれる少なくとも一つの錠掛けラッチとからなる。
【０００３】
このようなドリルチャックは、ヨーロッパ特許出願公開EP0710518A2から知られており、実際の実施により優れたものであることが実証され、その頑丈さ及び信頼性に基づき非常に多くの個数が販売された。ここで述べた利点は、ユーザーにとっての簡便な操作性と結びついている。ドリルチャックの締め付け解除及び締め付けを行う際に、インタロック機構が強制的に作動されるのであり、そのため、ユーザーは、調整リングをつかんで一方または他方へと回すだけで良いからである。インタロック機構により、高い負荷でのドリリング作動の最中、特には機械的な打撃穿孔の最中に、ドリリング工具の確実な締め付けを確実に実現できる。ドリルチャックに強い振動が作用した場合にも確実な締め付けを確実に実現できる。ところが、注目すべきことには、ドリルチャックが、ますます、配線網に非接続の、バッテリー駆動のドリリング機械に、ねじ回し用にも用いられるようなっている。ねじ回し操作の最中には、ドリルチャックの負荷は著しく低減し、インタロック機構の使用を、必ずしも必要としない。工具を締め付ける際、例えばドライバービットを締め付ける際、まず、複数のつかみあごが工具シャフトに突き当たり、次いで、このために回転に対する抵抗力の増大が生じることにより、錠掛けラッチが錠掛け凹部に入った状態のインタロック機構が作動する。そのため、錠掛けラッチは、所望の締め付け力を達成するまで、複数の錠掛け凹部にわたって、ラチェット機構により動くこととなる。このことは、錠掛けラッチ及び錠掛け凹部の両方の磨耗につながる。ドリルチャックをドライバーに用いる際には、このような磨耗を必要条件とするわけでない。
【特許文献１】ヨーロッパ特許出願公開EP0710518A2
【発明の開示】
【発明が解決しようとする課題】
【０００４】
したがって、本発明の根底をなす課題は、導入部で述べたような装置について、以下のように構成することにある。操作の容易さを保ちつつ、インタロック機構を作動させるかどうかについて、ユーザーの自由な判断に委ねることができるようにする。この際、できる限りシンプルな構造が確実に保持されたままであるようにする。
【課題を解決するための手段】
【０００５】
このような課題は、本発明によると、導入部で述べたような装置において、以下により解決される。２つの対抗ストッパー面を有する一つの錠掛けリングが備えられ、錠掛けリングは、これら対抗ストッパー面が、調整リングの２つの第２突き当てストッパー面の間に制限されることで、制限されて回転可能である。この錠掛けリングは、インタロックの位置・姿勢と、錠掛けラッチが錠掛け凹部から外れ出た締め付け解除の位置・姿勢との間でのシフトを行わせるためのものである。また、ドリルチャックを開放する回転方向での先頭面をなす第２突き当てストッパー面が、インタロックの位置・姿勢にて、対抗ストッパー面に突き当てられる。さらに、係止機構が、錠掛けリングとネジ切リングとの間に形成されている。
【発明の効果】
【０００６】
このようなドリルチャックには、以下の利点が結び付いている。ユーザーは、ドリルチャックを、慣れたやり方で操作することができる。特には、ドリルチャックを開放する際、インタロック機構が作動しているかどうかが、何らの相違も示さない。そのため、ユーザーは、工具を締め付ける際、調整リングによって所望の締め付け力を引き起こすことができ、次いで、使用の状況に応じて、さきほど調整リングを回転した方向へと錠掛けリングをも回転してインタロック機構を作動状態とするがどうかについて決めることができる。インタロック機構が作動状態になると、ドリルチャックを開放する方向での先頭面をなす第２突き当てストッパー面が、インタロックの位置・姿勢にあって、対抗ストッパー面に突き当たる。そのため、ドリルチャックを開放するためには、単に、調整リングをつかんで、開放する方向へと位置・姿勢をシフトさせるだけで良い。すなわち、錠掛けリングを前もって再度操作する必要がない。ドリルチャックを開放する際、錠掛けリングが錠掛けラッチ及びネジ切リングに対して、係止機構の係止の位置・姿勢が切り替わるまで回転する。このようにして、錠掛けラッチが錠掛け凹部から外れ出るのであり、調整リングをさらに回転すると、調整リング、錠掛けリング及びネジ切リングが、まとまって、チャック躯幹体に対して回転する。これにより、複数のつかみあごが位置・姿勢をシフトさせ、ドリルチャックが開かれる。係止機構、または、その少なくとも一部が、錠掛けリングに備えられているならば、他の構造部材、特には調整リングの構造及び構成をシンプルなものとする。したがって、調整リングの内面には、特別な形状を付与する必要がない。
【発明を実施するための最良の形態】
【０００７】
ヨーロッパ特許出願公開EP0710518A2の、従来技術から知られたドリルチャックであると、調整リングは、ネジ切リングに対して、限られた範囲での回転が可能であり、この回転により、錠掛けラッチを係止の位置・姿勢と係止解除の位置・姿勢との間でシフトさせる。係止機構は、ネジ切リングに対する調整リングの回転位置を固定するのに用いられる。本発明のドリルチャックにおいては、調整リングがネジ切リングに対して２つの回転位置を取ることができる。しかし、このことは、次の場合に、錠掛けラッチの切替につながっていない。錠掛けリングの操作がなされないままであることにより、錠掛けラッチが常にインタロック解除の位置・姿勢にとどまっている場合にである。錠掛けラッチを作動状態とするために錠掛けリングを回転させると、第２突き当てストッパー面が切り替わる。しかし、ドリルチャックを開放するには、第２突き当てストッパー面を必ず切り替える必要があるというのではない。ネジ切リングに対する調整リングの相対的な回転が可能なままであり、そのため、錠掛けリングが連れ動かされるからである。そのため、係止機構は、第１突き当てストッパー面と共同で作動しつつ、調整リングの回転位置を固定することにより、インタロック機構が作動した際に、錠掛けリングに対する引き連れ動かしの機能を確実に実現する。
【０００８】
錠掛けリングが調整リングに、回転可能に取り付けられるならば、特に好ましいことが知られた。このようであると、組み付けの際に、錠掛けリングをチャック躯幹体に直接に接触・接近できるようにする必要がなくなるので、組み付けの際、及び操作の際に利点を与えるからである。錠掛けリングは、好ましくは、調整リングの２つの軸方向端部のいずれかに配置される。このようにすると、ユーザーにとり、広い把持面が得られる。
【０００９】
また、錠掛けリングが調整リングの半径方向外側に取り付けられており、対抗ストッパー面が錠掛けリングの内周面に設けられた錠掛けカム部に配置されているならば好ましい。このような実施形態であると、ドリルチャックの美的な外観を確実に実現できる。ここで、錠掛けリングのいずれの構造も、調整リングの把持を妨げるものでない。
【００１０】
上記に代えて、次のような形態をとることもできる。錠掛けリングは、調整リングの内側に案内されていて、対抗ストッパー面をなすグリップカム部が、調整リングのリング窓部を突き抜ける。このような実施形態では、軸方向に、より長く延びる把持面が、調整リングに備えられる。この把持面は、リング窓部のためにのみ断続している。２組のグリップカム部及びリング窓部が、直径を挟んで互いに逆側の、２つの箇所にそれぞれ備えられているならば、ユーザーにとり、より快適である。
【００１１】
また、本発明の枠内において次のことが想定されている。錠掛けラッチの作動切替のためには、カム部に切替カム面が設けられる。ここで、ドリルチャックを閉鎖する回転方向へと、錠掛けリングを調整リングに対して相対回転させることにより、錠掛けラッチは、外れ出た状態から、差し込まれた状態へと位置・姿勢がシフトされる。また、逆向きに相対回転させることにより、元の状態へと戻る。
【００１２】
また、次のようであるならば好ましい。ネジ切リングに回転不能に接続された中間スリーブに、錠掛けラッチが回転不能に取り付けられており、錠掛けラッチが湾曲状のクランプバネに設けられ、また、このクランプバネが係止機構の係止ラッチ部をも備えているならば好ましい。錠掛けラッチと係止ラッチ部とが共に湾曲状のクランプバネに配置されることで、インタロックの位置・姿勢にあっては、錠掛けラッチ及び係止ラッチ部に、同時に、所望の高いバネ応力を実現するからである。
【００１３】
相異なる複数の係止箇所が、次のような簡単な方式により実現できる。錠掛けリングの、内側の表面に、係止カム部が備えられ、この係止カム部が、係止機構の２つの係止箇所を互いに隔てている。
【００１４】
以下に、図面に描かれた実施例について詳細に説明する。図面に描かれたドリルチャックは、不図示の工具を受け入れるのに用いられるものであり、同様に不図示のドリリングスピンドルに接続されるチャック躯幹体１を有している。ドリリングスピンドルを接続すべく、チャック躯幹体１は、ネジ切凹部２を備える。また、ドリルチャックには、工具についてのセンタリング、軸方向の案内、及び締め付けのうちの全部または一部を行う、複数のつかみあご３が備えられる。これらつかみあご３は、チャック軸４に共軸の工具受入れ部５中にて、チャック軸に対して同心的に位置・姿勢をシフト可能である。このような位置・姿勢のシフトのためには、ネジ切リング６に接続する調整リング１５が用いられる。ネジ切リング６は、チャック躯幹体１中に、回転可能に案内され、軸方向後方からボールベアリング７及びスラストリング８を介して、チャック躯幹体１により支持されている。つかみあご３の不所望の位置・姿勢のシフトを防ぐためには、ネジ切リング６の回転位置を固定することができる。このためには、ネジ切リング６とチャック躯幹体１との間に構成されたインタロック機構を用いることができる。インタロック機構は、チャック軸４に共軸の円環状に配列された複数の錠掛け凹部９と、１つの錠掛けラッチ１０とからなる。インタロック機構の一方の部分が、チャック躯幹体１に割り当てられて備えられ、インタロック機構の他方の部分が、ネジ切リング６に割り当てられて備えられている。図示の実施例では、複数の錠掛け凹部９がチャック躯幹体１に割り当てられ、錠掛けラッチ１０がネジ切リング６に割り当てられている。インタロックの位置・姿勢にあっては、錠掛けラッチ１０が錠掛けバネ１１の力を受けて錠掛け凹部９に噛み合わされている。ここで、錠掛けラッチ１０と、錠掛けラッチ１０を受け入れる錠掛け凹部９とは、次のように傾いた各フランク面にて互いに突き当てられる。すなわち、錠掛け凹部９の各フランク面は、次のような具合に傾いている。ドリルチャックを開放する方向（矢印１２）での回転を防ぐが、逆方向の、ドリルチャックを閉鎖する方向（矢印１３）での、このために充分大きな回転モーメントを受けた場合、錠掛けラッチ１０が、バネ力に抗して錠掛け凹部９から外れ出て、錠掛け凹部９より錠掛け凹部９へと、チャック躯幹体１の外周に沿って滑り動くことを可能にするような具合にである。
【００１５】
錠掛けラッチ１０は、ネジ切リング６に回転不能に固定された中間スリーブ１４に、回転不能に取り付けられ、したがって、ネジ切リング６に回転不能に接続されている。調整リング１５は、ネジ切リング６、並びに中間スリーブ１４及び錠掛けラッチ１０に対する回転位置を、２つの第１ストッパー面１６の間にてシフトさせることができる。この２つの回転位置に、ネジ切リング６に対する調整リング１５の相対的な回転位置を固定するためには、係止機構１７が役立てられる。係止機構１７には、係止ラッチ部２６のための、周方向に離間されて配置された２つの係止箇所１８が備えられる。錠掛けラッチ１０は、錠掛け凹部９に差し込まれたインタロックの位置・姿勢と、錠掛け凹部９から外れ出たインタロック解除の位置・姿勢との間でシフト可能である。このシフトのためには、回転可能な錠掛けリング２１が備えられる。錠掛けリング２１は、２つの対抗ストッパー面１９でもって、調整リングの２つのストッパー面２０，２０'の間に制限された状態にて、回転可能である。この錠掛けリング２１の一つの対抗ストッパー１９面が、インタロックの位置・姿勢にあっては、ドリルチャックを開放する回転方向１２での、錠掛けリング２１の先頭面をなす第２ストッパー面２０'に突き当てられる（図３ｃ及び５ｃ）。錠掛けリング２１とネジ切リング６との間、すなわち、錠掛けリング２１と、ネジ切リング６に回転不能に接続された中間スリーブ１４及び湾曲状のクランプバネ２３との間には、係止機構１７が形成されている。このためには、錠掛けリング２１が、その内面に、係止カム部２４を備える。係止カム部２４は、２つの係止箇所１８を分け隔てている。
【００１６】
図１及び４から知られるように、錠掛けリング２１は、回転可能に調整リング１５に組み付けられる。すなわち、調整リング１５の半径方向外側に組み付けられる。ここで、２つの対抗ストッパー面１９が、錠掛けリング２１の内周面に設けられた一つの錠掛けカム部２２に配置される。本発明のドリルチャックを、次のようにして同様に具現することも考えられる。錠掛けリング２１が調整リング１５の半径方向内側に案内され、対抗ストッパー面１９を形成するグリップカム部が、リング窓部を突き抜ける。グリップカム部及びリング窓部のいずれもが、２つ備えられ、直径を挟んで互いに逆側の２つの箇所に備えられるようにすることができる。
【００１７】
錠掛けラッチ１０の作動・非作動の切替のためには、一つの切替カム面２５が一つのカム部２２に設けられている。ドリルチャックを閉鎖する方向１３へと錠掛けリング２を調整リング１５に対して回転させることにより、錠掛けラッチ１０は、外れ出た状態から差し込まれた状態へと位置・姿勢をシフトする。また、この逆を行うことにより元の状態に戻る。
【００１８】
このドリルチャックのベースとなる構造及び作動様式は、ヨーロッパ特許出願公開EP0710518A2により知られており、関連の平均的な専門技術者に理解されるものである。そのため、図示のドリルチャックの作動様式についての以下の説明は、本発明により付与された相違点のみについて行う。
【００１９】
図１、図２ａ、及び図３ａは、手で締め付けを行うドリルチャックについて、開放し、インタロックを解除した状態にて示す。工具のシャンクを締め付けるためには、調整リング１５をつかんで、矢印１３の方向に回す。これにより、ストッパー面１６間の切替が行われ、また、中間スリーブ１４及びネジ切リング６が、連れ動かされる。
【００２０】
また、第２ストッパー面２０が、対抗ストッパー１９に突き当たる（図３ｂ）。ユーザーの意思にしたがって、錠掛けリング２１を回すことができ、これにより、第２ストッパー面２０及び対抗ストッパー面１９もまた切り替わるのである。この結果、開放する際には、再度、錠掛けリング２１の位置・姿勢をシフトさせてインタロック機構を切り替える操作工程を行うことができる。すなわち、開放する方向（１２）に調整リング１５を回した際に、図３ａの状態を再度実現できる。
【００２１】
上記に対応して、係止機構１７の係止ラッチ部２６が２つの係止箇所１８の間で切り替えられる。このようにして、図３ｂから図３ｃに示された状態が実現できる。これらの図には、ドリルチャックについての締め付けた状態を示す。このとき、複数のつかみあご３が工具のシャンクに突き当てられている。締め付け応力を大きくすることも、何ら変わりなく可能である。締め付ける方向１３での調整リング１５の回転が妨げられていないからである。
【００２２】
インタロック解除の位置・姿勢と、インタロックの位置・姿勢との間のこのような切替は、基本的には、最大の締め付け応力が達成される締め付けプロセスより前に終了することもできる。しかし、このような切替のプロセスを、所望の締め付け力に達してから行うのに意味がある。そうしないと、錠掛けラッチ１０について、複数の錠掛け凹部９にわたって続けてガチャガチャ動きを行わせる必要があるからである。このラチェット動きは、達成可能な最大の締め付け応力に悪影響を及ぼす。そのため、図示のドリルチャックの締め付け応力は、基本的に、従来知られていたドリルチャックに比べて大きい。従来知られていたドリルチャックのインタロック機構においては、必ず、締め付けプロセスの際に操作を行う必要があり、したがって、ある程度の磨耗が引き起こされる。
【００２３】
工具が複数のつかみあご３の間にて締め付けられると、ユーザーは、錠掛けリング２１について、調整リング１５を先に回した方向へと回すことで、インタロック機構を作動させることができる。しかし、必ず作動させなければならないわけでない。ユーザーがインタロック機構を作動させると、錠掛けリング２１が、調整リング１５の第２突き当てストッパー面２０，２０'に対して、位置・姿勢をシフトし、このため、カム部２２の切替カム面２５に突き当たることで、錠掛けラッチ１０が、チャック躯幹体１の錠掛け凹部９に噛み合わされる。
【００２４】
ドリルチャックを開放し工具を取り替えるためには、ユーザーが、調整リング１５をつかんで、締め付けとは逆の方向、すなわち矢印１２の方向に回すだけで良い。ユーザーは、このような操作について、どのような配置設定にあるかとは無関係に行うことができる。すなわち、ユーザーが、特にねじ回しに適した図３ｂに示す状態を選択していたか、それとも図３ｃに示す状態を選択していたかに関わりなく、操作を行うことができる。ドリルチャックを開放するためには、ユーザーが、必ず錠掛けリング２１を前もって操作する必要があるわけでない。調整リング１５を回転させることで、図３ｃに示す状態から図３ｂに示す状態に達したときには、錠掛けリング２１が調整リング１５により連れ動かされるからである。ここで、ネジ切リング６に対する調整リング１５及び錠掛けリング２１の回転は、インタロック解除を可能にする。また、このような作動状態は、次のようなときにも実現できる。すなわち、インタロック機構が作動しておらず、したがってドリルチャックが締め付けを行っているがインタロックの解除状態にあるとき（図３ｂ）にも実現できる。ネジ切リング６及び中間スリーブ１４にに対する調整リング１５の回転可能範囲が限定されていることから、まず、第２突き当てストッパー面２０，２０'を切替可能であり、そうすると、続けてドリルチャックの開放が行われるからである。
【図面の簡単な説明】
【００２５】
【図１】第１の実施形態のドリルチャックについての、軸方向断面図の左半部と側面図の右半部とからなる半断面・半側面図である。左半部及び右半部のいずれにおいても、複数のつかみあごは、相互間になすつかみ部の径が最小になる位置・姿勢にあり、また、ドリルチャックのインタロックがされていない状態を示す。
【図２ａ】上記ドリルチャックについての、開放され、インタロックが解除された状態における、図１のII-II断面を示す断面図である。
【図２ｂ】上記ドリルチャックについての、締め付けが行われ、インタロックが解除された状態における、図１のII-II断面を示す断面図である。
【図２ｃ】上記ドリルチャックについての、締め付けが行われ、インタロックされた状態における、図１のII-II断面を示す断面図である。
【図３ａ】上記ドリルチャックについての、開放され、インタロックが解除された状態における、図１のIII-III断面を示す断面図である。
【図３ｂ】上記ドリルチャックについての、締め付けが行われ、インタロックが解除された状態における、図１のIII-III断面を示す断面図である。
【図３ｃ】上記ドリルチャックについての、締め付けが行われ、インタロックされた状態における、図１のIII-III断面を示す断面図である。
【図４】錠掛けリングが軸方向の根元側にある第２の実施形態を示す、図１に対応する半断面・半側面図である。
【図５ａ】図３ａと同一のクランプ状態における、図４のV-V断面を示す断面図である。
【図５ｂ】図３ｂと同一のクランプ状態における、図４のV-V断面を示す断面図である。
【図５ｃ】図３ｃに同一のクランプ状態における、図４のV-V断面を示す断面図である。
【符号の説明】
【００２６】
１  チャック躯幹体          ２  ネジ切凹部            ３  つかみあご  
４  チャック軸              ５  工具受入れ部          ６  ネジ切リング  
７  ボールベアリング        ８  スラストリング        ９  錠掛け凹部  
１０  錠掛けラッチ          １１  錠掛けバネ          １２  開放方向を示す矢印  
１３  閉鎖方向を示す矢印    １４  中間スリーブ        １５  調整リング  
１６  第１突き当てストッパー面  １７  係止機構        １８  係止箇所  
１９  対抗ストッパー        ２０  第２突き当てストッパー面  ２１  錠掛けリング  
２２  係止カム部            ２３  湾曲状のクランプバネ  ２４  係止カム部  
２５  切替カム面            ２６  係止ラッチ部
【図１】
2010514574.tif 000003
【図２ａ】
2010514574.tif 000004
【図２ｂ】
2010514574.tif 000005
【図２ｃ】
2010514574.tif 000006
【図３ａ】
2010514574.tif 000007
【図３ｂ】
2010514574.tif 000008
【図３ｃ】
2010514574.tif 000009
【図４】
2010514574.tif 000010
【図５ａ】
2010514574.tif 000011
【図５ｂ】
2010514574.tif 000012
【図５ｃ】
2010514574.tif 000013
【国際調査報告】
2010514574.tif 000014
2010514574.tif 000015
2010514574.tif 000016
2010514574.tif 000017